(57)【要約】【課題】所望の場所に対して冷媒を効果的に供給できるロータ及び回転電気を提供する。【解決手段】本発明に係るロータ４は、軸線Ｃに沿って延びるシャフト３１と、シャフト３１に固定されたロータコア３２と、を備えている。シャフト３１の内周面には、軸線Ｃに沿って螺旋状に延びるとともに、ロータコア３２に向けて冷媒を案内する第１螺旋溝９１と、軸線Ｃに沿って螺旋状に延びるとともに、第２軸受４２に向けて冷媒を案内する第２螺旋溝９２と、が形成されている。【選択図】図２
2020018116.tif 000002
【特許請求の範囲】
【請求項１】
軸線に沿って延びるシャフトと、
前記シャフトに固定されたロータコアと、を備え、
前記シャフトの周面には、
前記軸線に沿って螺旋状に延びるとともに、前記ロータコアに向けて冷媒を案内する第１流路と、
前記軸線に沿って螺旋状に延びるとともに、前記ロータコアとは異なる部分に向けて冷媒を案内する第２流路と、が形成されているロータ。
【請求項２】
前記シャフトは、筒状に形成され、
前記第１流路及び前記第２流路は、前記シャフトの内周面に形成され、
前記シャフトには、
前記第１流路に連通するとともに、前記シャフトの外周面上で開口する第１吐出口と、
前記第２流路に連通するとともに、前記シャフトの外周面上で開口する第２吐出口と、が形成されている請求項１に記載のロータ。
【請求項３】
前記第１流路及び前記第２流路は、並行して延在している請求項１又は請求項２に記載のロータ。
【請求項４】
前記第１流路及び前記第２流路は、軸線方向の幅及び径方向の深さの少なくとも何れかが異なっている請求項１から請求項３の何れか１項に記載のロータ。
【請求項５】
前記シャフトを軸線回りに回転可能に支持する軸支持部を備え、
前記第２流路は、前記軸支持部に冷媒を案内する請求項１から請求項４の何れか１項に記載のロータ。
【請求項６】
請求項１から請求項５の何れか１項に記載のロータを備えている回転電気。
【発明の詳細な説明】
【技術分野】
【０００１】
本発明は、ロータ及び回転電気に関する。
【背景技術】
【０００２】
回転電機では、コイルに電流が供給されることでステータコアに磁界が形成され、ロータの永久磁石とステータコアとの間に磁気的な吸引力や反発力が生じる。これにより、ロータがステータに対して回転する。
【０００３】
上述した回転電気では、回転時に磁石に発生する渦電流等の影響によりロータが発熱する。磁石の発熱により磁力が低下（いわゆる熱減磁）すると、回転電機の性能が低下する可能性がある。
【０００４】
ここで、例えば下記特許文献１には、ロータコアが固定されたシャフトの外周面に、螺旋溝が形成された構成が開示されている。この構成によれば、シャフトの第１側端部から供給された冷媒は、螺旋溝を通って第２側端部に流れた後、第２側端部で折り返されて第１側端部に戻る。これにより、ロータと冷媒（螺旋溝）との接触面積を増加させるとされている。
【先行技術文献】
【特許文献】
【０００５】
【特許文献１】特表２０１５−５３４８０３号公報
【発明の概要】
【発明が解決しようとする課題】
【０００６】
しかしながら、上述した従来技術にあっては、所望の場所に対して冷媒を効果的に供給させる点で未だ改善の余地があった。
【０００７】
本発明は、所望の場所に対して冷媒を効果的に供給できるロータ及び回転電気を提供することを目的とする。
【課題を解決するための手段】
【０００８】
（１）上記目的を達成するために、本発明の一態様に係るロータ（例えば、実施形態におけるロータ４）は、軸線に沿って延びるシャフト（例えば、実施形態におけるシャフト３１）と、前記シャフトに固定されたロータコア（例えば、実施形態におけるロータコア３２）と、を備え、前記シャフトの周面には、前記軸線に沿って螺旋状に延びるとともに、前記ロータコアに向けて冷媒を案内する第１流路（例えば、実施形態における第１螺旋溝９１）と、前記軸線に沿って螺旋状に延びるとともに、前記ロータコアとは異なる部分（例えば、実施形態における第２軸受４２）に向けて冷媒を案内する第２流路（例えば、実施形態における第２螺旋溝９２）と、が形成されている。
【０００９】
（２）上記（１）の態様に係るロータにおいて、前記シャフトは、筒状に形成され、前記第１流路及び前記第２流路は、前記シャフトの内周面に形成され、前記シャフトには、前記第１流路に連通するとともに、前記シャフトの外周面上で開口する第１吐出口（例えば、実施形態における第１吐出口６２）と、前記第２流路に連通するとともに、前記シャフトの外周面上で開口する第２吐出口（例えば、実施形態における第２吐出口６３）と、が形成されていてもよい。
【００１０】
（３）上記（１）又は（２）の態様に係るロータにおいて、前記第１流路及び前記第２流路は、並行して延在していてもよい。
【００１１】
（４）上記（１）から（３）の何れかの態様に係るロータにおいて、前記第１流路及び前記第２流路は、軸線方向の幅及び径方向の深さの少なくとも何れかが異なっていてもよい。
【００１２】
（５）上記（１）から（４）の何れかの態様に係るロータにおいて、前記シャフトを軸線回りに回転可能に支持する軸支持部（例えば、実施形態における第２軸受４２）を備え、前記第２流路は、前記軸支持部に冷媒を案内してもよい。
【００１３】
（６）本発明の一態様に係る回転電機は、上記（１）から（５）の何れかの態様に係るロータを備えている。
【発明の効果】
【００１４】
上記（１）の態様によれば、シャフトに供給された冷媒は、シャフトの回転に伴い第１流路及び第２流路に案内されることで、周方向に流通しながら軸方向に流通する。これにより、第１流路により案内された冷媒は、ロータコアに供給される。一方、第２流路により案内された冷媒は、ロータコアとは異なる部分に供給される。すなわち、第１流路及び第２流路を通じて冷媒を所望の場所に効果的に導くことができるので、冷却効率を向上させることができる。
【００１５】
上記（２）の態様によれば、シャフトの回転に伴う遠心力により、冷媒が第１流路内及び第２流路内に収容され易くなる。そのため、第１流路及び第２流路を通じて冷媒を所望の場所に効果的に供給し易くなる。
【００１６】
上記（３）の態様によれば、各流路内で独立して冷媒を流通させることができる。そのため、所望の流量の冷媒を各流路で案内し易くなるとともに、各流路の形成位置や冷媒の供給場所についての自由度を向上させることができる。
【００１７】
上記（４）の態様によれば、第１流路及び第２流路で流路断面積を異ならせることができるので、所望の場所に対して所望の流量の冷媒を供給し易くなる。
【００１８】
上記（５）の態様によれば、冷媒が軸支持部に供給されることで、軸支持部の冷却に加え、軸支持部の潤滑性も向上させることができる。
【００１９】
上記（６）の態様によれば、上記態様のロータを備えているため、冷却効率に優れた回転電機を提供できる。
【図面の簡単な説明】
【００２０】
【図１】第１実施形態に係る回転電機の概略構成を示す断面図である。
【図２】第１実施形態に係る回転電機の部分断面図である。
【図３】第２実施形態に係る回転電機の部分断面図である。
【発明を実施するための形態】
【００２１】
以下、本発明の実施形態を図面に基づいて説明する。なお、以下で説明する各実施形態について対応する構成については、同一の符号を付して説明を省略する場合がある。
（第１実施形態）
図１は、第１実施形態に係る回転電機１の概略構成を示す断面図である。
図１に示す回転電機１は、例えばハイブリッド自動車や電気自動車等の車両に搭載される走行用モータである。但し、本発明の構成は、走行用モータに限らず、発電用モータやその他用途のモータ、車両用以外の回転電機（発電機を含む）にも適用可能である。
【００２２】
回転電機１は、ケース２と、ステータ３と、ロータ４と、冷媒供給部５（図２参照）と、を備えている。以下の説明では、後述するシャフト３１の軸線Ｃに沿う方向を単に軸方向といい、軸線Ｃに直交する方向を径方向といい、軸線Ｃ回りの方向を周方向という場合がある。
【００２３】
ケース２は、ステータ３及びロータ４を収容している。ケース２内には、冷媒（不図示）が収容されている。上述したステータ３は、ケース２内において、一部が冷媒に浸漬された状態で配置されている。なお、冷媒としては、トランスミッションの潤滑や動力伝達等に用いられる作動油である、ＡＴＦ（Ａｕｔｏｍａｔｉｃ  Ｔｒａｎｓｍｉｓｓｉｏｎ  Ｆｌｕｉｄ）等が好適に用いられている。
【００２４】
図２は、回転電機１の部分断面図である。
ステータ３は、ステータコア１１と、ステータコア１１に装着されたコイル１２と、を備えている。
ステータコア１１は、軸線Ｃと同軸に配置された筒状である。ステータコア１１は、例えばケース２の内周面に固定されている。ステータコア１１は、電磁鋼板が軸方向に積層されて構成されている。なお、ステータコア１１は、いわゆる圧粉コアであっても構わない。
【００２５】
コイル１２は、ステータコア１１に装着されている。コイル１２は、周方向に関して互いに１２０°の位相差をもって配置されたＵ相コイル、Ｖ相コイル及びＷ相コイルを有している。コイル１２は、ステータコア１１のスロット（不図示）に挿通された挿通部１２ａと、ステータコア１１から軸方向に突出したコイルエンド部１２ｂ，１２ｃと、を有している。ステータコア１１には、コイル１２に電流が流れることで磁界が発生する。
【００２６】
ロータ４は、ステータ３に対して径方向の内側に、間隔をあけて配置されている。ロータ４は、軸線Ｃ回りに回転可能に構成されている。ロータ４は、シャフト３１と、ロータコア３２と、永久磁石３３と、端面板（第１端面板３４及び第２端面板３５）と、を備えている。
【００２７】
シャフト３１は、軸受（第１軸受４１及び第２軸受４２）を介して軸線Ｃ回りに回転可能に、ケース２に支持されている。
【００２８】
ロータコア３２は、軸線Ｃと同軸に配置された筒状に形成されている。ロータコア３２の内側には、シャフト３１が圧入固定されている。なお、ロータコア３２は、ステータコア１１と同様に電磁鋼板が軸方向に積層されて構成されていても、圧粉コアであってもよい。
【００２９】
ロータコア３２の外周部分には、ロータコア３２を軸方向に貫通する磁石保持孔３６が形成されている。磁石保持孔３６は、周方向に間隔をあけて複数形成されている。各磁石保持孔３６には、永久磁石３３が挿入されている。なお、ロータコア３２の内周部分には、ロータコア３２を軸方向に貫通する貫通孔４０が形成されている。貫通孔４０は、周方向及び径方向に間隔をあけて複数形成されている。
【００３０】
第１端面板３４は、ロータコア３２に対して軸方向の第１側に配置されている。第１端面板３４は、シャフト３１に圧入固定された状態で、ロータコア３２における少なくとも磁石保持孔３６を軸方向の第１側から覆っている。
第２端面板３５は、ロータコア３２に対して軸方向の第２側に配置されている。第２端面板３５は、シャフト３１に圧入固定された状態で、ロータコア３２における少なくとも磁石保持孔３６を軸方向の第２側から覆っている。なお、ロータ４は、端面板３４，３５を有さない構成であってもよい。
【００３１】
＜冷媒供給部＞
冷媒供給部５は、冷媒ポンプの駆動によって送出される冷媒を、ステータ３やロータ４等に供給する。なお、冷媒ポンプは、シャフト３１の回転に連動して駆動する、いわゆるメカポンプであってもよく、シャフト３１の回転に対して独立して駆動する、いわゆる電動ポンプであってもよい。
【００３２】
冷媒供給部５は、シャフト流路５１と、第１端面板流路５２と、第２端面板流路５３と、を備えている。
【００３３】
シャフト流路５１は、軸心流路６１と、第１吐出口６２と、第２吐出口６３と、を備えている。
軸心流路６１は、シャフト３１内における軸線Ｃと同軸となる位置を軸方向に延在している。軸心流路６１内には、冷媒ポンプから送出される冷媒が軸方向に沿って流通する。
【００３４】
第１吐出口６２は、シャフト３１において、軸方向で第１端面板３４と同等の位置に形成されている。第１吐出口６２は、シャフト３１を径方向に延在している。第１吐出口６２における径方向の内側端部は、軸心流路６１内に連通している。第１吐出口６２における径方向の外側端部は、シャフト３１の外周面上で開口している。第１吐出口６２内には、軸心流路６１内を流れる冷媒が流入する。
【００３５】
第２吐出口６３は、シャフト３１において、軸方向で第２軸受４２の近傍に形成されている。本実施形態において、第２吐出口６３の一部は、径方向から見て第２軸受４２と重なり合っている。第２吐出口６３は、シャフト３１を径方向に延在している。第２吐出口６３における径方向の内側端部は、軸心流路６１内に連通している。第２吐出口６３における径方向の外側端部は、シャフト３１の外周面上で開口している。第２吐出口６３内には、軸心流路６１内を流れる冷媒が流入する。
【００３６】
第１端面板流路５２は、ロータ４の回転に伴う遠心力によって、第１吐出口６２から流入する冷媒を径方向の内側から外側に向けて流通させる。具体的に、第１端面板流路５２は、ロータ入口流路７１と、ステータ供給路７２と、を主に備えている。
【００３７】
ロータ入口流路７１は、第１端面板３４を径方向に延在している。ロータ入口流路７１における径方向の内側端部は、上述した第１吐出口６２内に連通している。すなわち、ロータ入口流路７１内には、第１吐出口６２を流れる冷媒が流入する。ロータ入口流路７１における径方向の外側端部は、第１端面板３４の外周部分で終端している。
【００３８】
ロータ入口流路７１は、第１端面板３４におけるロータコア３２との対向面上で開口している。ロータ入口流路７１は、上述した貫通孔４０内に連通している。ロータ入口流路７１内を流れる冷媒は、径方向の外側に向けて流通する過程で、貫通孔４０内に流入可能とされている。すなわち、貫通孔４０は、ロータコア３２を冷却する冷却通路としても機能する。
【００３９】
ステータ供給路７２は、ロータ入口流路７１の下流端部（径方向の外側端部）に接続されている。ステータ供給路７２は、第１端面板３４内を軸方向に貫通している。すなわち、上述したロータ入口流路７１は、ステータ供給路７２を通じてロータ４の外部に連通している。
【００４０】
第２端面板流路５３は、例えばロータ４の回転に伴う遠心力によって、ロータ４の内部を流れる冷媒をロータ４から排出する。第２端面板流路５３は、合流流路８１と、ステータ供給路８２と、を有している。
合流流路８１は、第２端面板３５を径方向に延在している。合流流路８１は、第２端面板３５におけるロータコア３２との対向面上で開口している。合流流路８１は、上述した磁石保持孔３６や貫通孔４０に連通している。
【００４１】
ステータ供給路８２は、合流流路８１における径方向の外側端部に連通している。ステータ供給路８２は、第２端面板３５を軸方向に貫通している。すなわち、上述した合流流路８１は、ステータ供給路８２を通じてロータ４の外部に連通している。なお、第１端面板流路５２や第２端面板流路５３は、周方向に複数形成されていてもよい。
【００４２】
ここで、本実施形態において、上述した軸心流路６１の内周面には、２条の螺旋溝（第１螺旋溝（第１流路）９１及び第２螺旋溝（第２流路）９２）が形成されている。
第１螺旋溝９１は、軸心流路６１の内周面上を周方向に延在しながら軸方向に延在している。第１螺旋溝９１の上流端部は、第２軸受４２よりも軸方向の第２側に位置している。一方、第１螺旋溝９１の下流端部は、軸心流路６１の内周面上において、上述した第１吐出口６２に連通している。なお、第１螺旋溝９１は、第１吐出口６２に向けて冷媒を案内する構成であれば、必ずしも第１吐出口６２に連通している必要はない。
【００４３】
第１螺旋溝９１のピッチＰ１（隣り合う溝の中心間距離）は、適宜変更が可能である。
本実施形態の第１螺旋溝９１は、周方向に直交する流路断面積（軸方向における溝幅と径方向の深さとの積）が全体に亘って一様に形成されている。但し、第１螺旋溝９１の流路断面積は、流通方向で変化させてもよい。
【００４４】
第２螺旋溝９２は、軸心流路６１の内周面上を周方向に延在しながら軸方向に延在している。具体的に、第２螺旋溝９２のピッチＰ２は、第１螺旋溝９１と同等に設定されている。第２螺旋溝９２は、第１螺旋溝９１の隣り合う溝間に、第１螺旋溝９１と並行して延在している。
【００４５】
第２螺旋溝９２の上流端部は、第２軸受４２よりも軸方向の第２側に位置している。一方、第２螺旋溝９２の下流端部は、軸心流路６１の内周面上において、上述した第２吐出口６３に連通している。なお、第２螺旋溝９２は、第２吐出口６３に向けて冷媒を案内する構成であれば、必ずしも第２吐出口６３に連通している必要はない。
【００４６】
第２螺旋溝９２は、周方向に直交する流路断面積（軸方向における溝幅と径方向の深さとの積）が全体に亘って一様に形成されている。但し、第２螺旋溝９２の流路断面積は、流通方向で変化させてもよい。本実施形態の第２螺旋溝９２は、溝幅及び深さの少なくとも何れかが第１螺旋溝９１に比べて小さくなることで、第１螺旋溝９１に比べて流路断面積が小さくなっている。なお、第１螺旋溝９１及び第２螺旋溝９２の流路断面積の大小関係は、第１吐出口６２及び第２吐出口６３に供給したい冷媒の流量に応じて適宜変更が可能である。
【００４７】
なお、第１螺旋溝９１及び第２螺旋溝９２は、軸方向に沿う縦断面視において、三角形状に形成されている。但し、第１螺旋溝９１及び第２螺旋溝９２の縦断面視形状は、矩形形状や半円形状等であってもよい。また、本実施形態では、第１螺旋溝９１の下流端部に第１吐出口６２が連通し、第２螺旋溝９２の下流端部に第２吐出口６３が連通する構成について説明したが、この構成のみに限られない。すなわち、第１螺旋溝９１の中途部分で第１吐出口６２に連通し、第２螺旋溝９２の中途部分で第２吐出口６３に連通する構成であってもよい。
【００４８】
［作用］
次に、上述した回転電機１の作用について説明する。
まず、シャフト流路５１の軸心流路６１を流れる冷媒は、冷媒ポンプの作用とロータ４の回転に伴う遠心力により、主に軸心流路６１の内周面上を伝って軸方向の第２側から第１側に向けて流れる。この際、軸心流路６１の内周面上を伝う冷媒のうち、第１螺旋溝９１内に収容された冷媒は、第１螺旋溝９１に沿って周方向に案内されながら軸方向の第１側に導かれる。一方、軸心流路６１の内周面上を伝う冷媒のうち、第２螺旋溝９２内に収容された冷媒は、第２螺旋溝９２に沿って周方向に案内されながら軸方向の第１側に導かれる。
【００４９】
第１螺旋溝９１に案内された冷媒は、第１吐出口６２内に流入する。第１吐出口６２内に流入した冷媒は、第１吐出口６２を径方向の外側に向けて流れた後、第１端面板流路５２のロータ入口流路７１内に流入する。なお、第１端面板流路５２では、ロータ４の回転に伴う遠心力によって径方向の内側から外側に向けて冷媒が流れる。
【００５０】
ロータ入口流路７１内に流入した冷媒のうち、一部の冷媒は、ロータ入口流路７１内を径方向の外側に流れる過程において、ステータ供給路７２内に流入する。ステータ供給路７２内に流入した冷媒は、ステータ供給路７２を通じてロータ４の外部に吐出される。ステータ供給路７２から吐出された冷媒は、遠心力によって径方向の外側に飛散し、ステータコア１１に対して軸方向の第１側に位置するコイルエンド部１２ｂに供給される。これにより、コイルエンド部１２ｂが冷却される。
【００５１】
一方、ロータ入口流路７１内に流入した冷媒のうち、一部の冷媒は、ロータ入口流路７１内を径方向の外側に流れる過程において、貫通孔４０内に流入する。貫通孔４０内に流入した冷媒は、貫通孔４０内を軸方向の第２側に向けて流れる。これにより、ロータ４が冷却される。貫通孔４０を通過した冷媒は、合流流路８１内に流入する。合流流路８１内に流入した冷媒は、合流流路８１内を径方向の外側に向けて流れた後、ステータ供給路８２を通してロータ４の外部に排出される。なお、ステータ供給路８２から排出された冷媒は、遠心力によって径方向の外側に向けて飛散し、ステータコア１１に対して軸方向の第２側に位置するコイルエンド部１２ｃに供給される。これにより、コイルエンド部１２ｃが冷却される。
【００５２】
また、第２螺旋溝９２に案内された冷媒は、第２吐出口６３内に流入する。第２吐出口６３内に流入した冷媒は、第２吐出口６３を径方向の外側に向けて流れた後、第２軸受４２に供給される。これにより、第２軸受４２が冷却される。なお、第２軸受４２に供給された冷媒は、その後ケース２に収容された減速機構（不図示）等に供給されてもよい。
【００５３】
このように、本実施形態では、シャフト３１の内周面に第１螺旋溝９１及び第２螺旋溝９２が形成された構成とした。
この構成によれば、シャフト３１に供給された冷媒は、シャフト３１の回転に伴い第１螺旋溝９１及び第２螺旋溝９２に案内されることで、周方向に流通しながら軸方向に流通する。これにより、第１螺旋溝９１を通じて冷媒をロータコア３２に供給できるとともに、第２螺旋溝９２を通じて冷媒を第２軸受４２に供給できる。すなわち、第１螺旋溝９１及び第２螺旋溝９２を通じて冷媒を所望の場所に効果的に導くことができるので、冷却効率を向上させることができる。なお、冷媒が第２軸受４２に供給されることで、第２軸受４２の潤滑性も向上させることができる。
【００５４】
本実施形態では、第１螺旋溝９１及び第２螺旋溝９２がシャフト３１の内周面に形成された構成とした。
この構成によれば、シャフト３１の回転に伴う遠心力により、冷媒が第１螺旋溝９１内及び第２螺旋溝９２内に収容され易くなる。そのため、第１螺旋溝９１及び第２螺旋溝９２を通じて冷媒を所望の場所に効果的に供給し易くなる。
【００５５】
本実施形態では、２条の螺旋溝９１，９２が並行して延在する構成とした。
この構成によれば、各螺旋溝９１，９２内で独立して冷媒を流通させることができる。そのため、所望の流量の冷媒を各螺旋溝９１，９２で案内し易くなるとともに、螺旋溝９１，９２の形成位置や冷媒の供給場所についての自由度を向上させることができる。
【００５６】
本実施形態では、第１螺旋溝９１及び第２螺旋溝９２で溝幅及び深さの少なくとも何れかを異ならせる構成とした。
この構成によれば、第１螺旋溝９１及び第２螺旋溝９２で流路断面積を異ならせることができるので、所望の場所に対して所望の流量の冷媒を供給し易くなる。
【００５７】
本実施形態の回転電機１は、上述したロータ４を備えているため、冷却効率に優れた回転電機１を提供できる。
【００５８】
（第２実施形態）
図３は、第２実施形態に係る回転電機１の部分断面図である。本実施形態では、シャフト３１の外周面に螺旋溝９１，９２が形成されている点で、上述した第１実施形態と相違している。
図３に示す回転電機１において、シャフト３１のうち、第２軸受４２よりも軸方向の第２側に位置する部分には、吐出口１００が形成されている。吐出口１００は、シャフト３１を径方向に貫通している。シャフト３１の外周面には、径方向の内側に窪む凹部１０１が形成されている。凹部１０１は、上述した吐出口１００に連通している。
【００５９】
各螺旋溝９１，９２は、シャフト３１の外周面上に形成されている。第１螺旋溝９１の上流端部は、上述した凹部１０１内に連通している。第１螺旋溝９１の下流端部は、上述したロータ入口流路７１内に連通している。
一方、第２螺旋溝９２の上流端部は、上述した凹部１０１内に連通している。第２螺旋溝９２の下流端部は、縦断面視において第２軸受４２と重なり合っている。
【００６０】
本実施形態のシャフト３１には、螺旋溝９１，９２が形成された領域のうち、ロータコア３２や端面板３４，３５、第２軸受４２が固定された領域以外の領域には、カラー（第１カラー１１０及び第２カラー１１１）が設けられている。
第１カラー１１０は、シャフト３１のうち、第２軸受４２よりも軸方向の第２側に位置する部分に装着されている。第１カラー１１０は、凹部１０１や螺旋溝９１，９２を径方向の外側から覆っている。
第２カラー１１１は、シャフト３１のうち、第２端面板３５と第２軸受４２との間に位置する領域に装着されている。第２カラー１１１は、螺旋溝９１，９２を径方向の外側から覆っている。
【００６１】
本実施形態において、軸心流路６１を流れる冷媒の少なくとも一部は、吐出口１００を通じて凹部１０１内に供給される。凹部１０１内に供給された冷媒は、各螺旋溝９１，９２内に分配される。
【００６２】
第１螺旋溝９１内に分配された冷媒は、シャフト３１の回転に伴う遠心力によって周方向に案内されながら、軸方向の第１側に向けて流通する。第１螺旋溝９１内を流通する冷媒は、第１実施形態と同様にロータ入口流路７１を通じて端面板３４，３５やロータコア３２内を流通した後、ロータ４の外部に排出される。
一方、第２螺旋溝９２内に分配された冷媒は、シャフト３１の回転に伴う遠心力によって周方向に案内されながら、軸方向の第１側に向けて流通する。第２螺旋溝９２内を流通する冷媒は、第１実施形態と同様に第２軸受４２に供給された後、減速機構等に供給される。
【００６３】
本実施形態のように、シャフト３１の外周面に螺旋溝９１，９２を形成した場合であっても、上述した実施形態と同様の作用効果を奏する。
【００６４】
（その他の変形例）
以上、本発明の好ましい実施例を説明したが、本発明はこれら実施例に限定されることはない。本発明の趣旨を逸脱しない範囲で、構成の付加、省略、置換、およびその他の変更が可能である。本発明は前述した説明によって限定されることはなく、添付の特許請求の範囲によってのみ限定される。
例えば、上述した実施形態では、螺旋溝９１，９２が２条形成された構成について説明したが、この構成のみに限られない。螺旋溝は３条以上の複数条形成されていてもよい。
上述した実施形態では、螺旋溝９１，９２を通じてロータコア３２と第２軸受４２に冷媒を案内する構成について説明したが、この構成のみに限られない。例えば、ケース２内に複数の回転電機（例えば、走行用及び発電用）が搭載されている場合には、螺旋溝を通じて各回転電機のロータコアに冷媒を供給してもよい。また、螺旋溝を通じて各軸受４１，４２に冷媒を供給してもよい。
【００６５】
上述した実施形態では、複数の螺旋溝が並行して延在する構成について説明したが、この構成のみに限られない。すなわち、複数の螺旋溝が直列して延在する構成であってもよい。例えば、第１螺旋溝の下流端部に第２螺旋溝の上流端部が接続される構成であってもよい。
上述した実施形態では、シャフト３１の内周面及び外周面の何れかのみに複数の螺旋溝が形成された構成について説明したが、この構成のみに限られない。例えば、シャフト３１の内周面に第１螺旋溝を形成し、シャフト３１の外周面に第２螺旋溝を形成する構成であってもよい。
【００６６】
上述した実施形態では、軸心流路６１内の冷媒が螺旋溝９１，９２に供給される構成について説明したが、この構成のみに限られない。例えば、ケース２等に設けられた供給口を通じてシャフト３１の外側から螺旋溝９１，９２に冷媒を供給してもよい。
【００６７】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００６８】
１…回転電機
４…ロータ
３１…シャフト
３２…ロータコア
４２…第２軸受（軸支持部）
６２…第１吐出口
６３…第２吐出口
９１…第１螺旋溝（第１流路）
９２…第２螺旋溝（第２流路）
【図１】
2020018116.tif 000003
【図２】
2020018116.tif 000004
【図３】
2020018116.tif 000005